(57)【特許請求の範囲】
【請求項１】
過電流により回路を遮断する可溶体部が設けられたヒューズエレメントと、このヒューズエレメントを収容するケース本体と、このケース本体の前記可溶体部が配置された部分に組み付けられ前記可溶体部の周囲を覆うカバーとを備えたヒューズユニットであって、
前記ケース本体には、前記ケース本体と前記カバーとで形成された空間部と外部とを連通し、前記可溶体部が溶断する際に発生するガス圧を外部へ放出する放出孔が設けられ、
前記カバーはコ字状に形成され、このコ字状の連結側には前記ケース本体に係止される係止部が設けられ、前記コ字状の開口側には前記放出孔が位置し、
前記放出孔は、前記カバーのコ字状の開口側端部の角部分側に設けられ、前記カバーを前記ケース本体に組付けた状態で前記ケース本体と前記カバーとの間に形成される前記空間部としての隙間に連通していることを特徴とするヒューズユニット。
【発明の詳細な説明】
【技術分野】
【０００１】
本発明は、ヒューズユニットに関する。
【背景技術】
【０００２】
従来、ヒューズユニットとしては、過電流により回路を遮断する可溶体部が設けられたヒューズエレメントとしてのバスバーと、このバスバーを収容するケース本体としての第一ハウジング及び第二ハウジングと、この第一ハウジング及び第二ハウジングの可溶体部が配置された部分に組み付けられ可溶体部の周囲を覆うカバーとを備えたものが知られている（例えば、特許文献１参照）。
【０００３】
このヒューズユニットでは、バスバーを第一ハウジングと第二ハウジングとを係止した状態で内部に収容し、外部に露出したバスバーの可溶体部が位置する部分を第一ハウジング及び第二ハウジングに組み付けられるカバーによって閉塞している。
【先行技術文献】
【特許文献】
【０００４】
【特許文献１】特開２００９−７６４０８号公報
【発明の概要】
【発明が解決しようとする課題】
【０００５】
ところで、上記のようなヒューズユニットでは、ヒューズエレメントの可溶体部が溶断する際に、可溶体部がガス圧を発生し、可溶体部で溶融した破片が飛散する恐れがある。この破片の飛散を防止するため、可溶体部はカバーによって覆われている。
【０００６】
しかしながら、ケース本体に組み付けられたカバーは、可溶体部が溶断時に発生するガス圧によって変形し、カバーとケース本体との間に隙間が形成され、この隙間から溶融した破片が外部に飛散する恐れがあった。加えて、ガス圧によって変形したカバーがケース本体に対して復元しようとする際に、この復元の衝撃によってカバーに破損が発生する可能性があった。
【０００７】
そこで、この発明は、可溶体部の溶断時による影響を抑制することができるヒューズユニットの提供を目的としている。
【課題を解決するための手段】
【０００８】
請求項１記載の発明は、過電流により回路を遮断する可溶体部が設けられたヒューズエレメントと、このヒューズエレメントを収容するケース本体と、このケース本体の前記可溶体部が配置された部分に組み付けられ前記可溶体部の周囲を覆うカバーとを備えたヒューズユニットであって、前記ケース本体には、前記ケース本体と前記カバーとで形成された空間部と外部とを連通し、前記可溶体部が溶断する際に発生するガス圧を外部へ放出する放出孔が設けられ、前記カバーはコ字状に形成され、このコ字状の連結側には前記ケース本体に係止される係止部が設けられ、前記コ字状の開口側には前記放出孔が位置し、前記放出孔は、前記カバーのコ字状の開口側端部の角部分側に設けられ、前記カバーを前記ケース本体に組付けた状態で前記ケース本体と前記カバーとの間に形成される前記空間部としての隙間に連通していることを特徴とする。
【０００９】
このヒューズユニットでは、ケース本体に、ケース本体とカバーとで形成された空間部と外部とを連通し、可溶体部が溶断する際に発生するガス圧を外部へ放出する放出孔が設けられているので、可溶体部の溶断時のガス圧を外部に逃がしてカバーの変形を防止でき、カバーの破損や脱落を防止することができる。加えて、カバーの変形を防止することができるので、溶融した破片の飛散をカバーによって確実に受けることができる。
【００１０】
従って、このようなヒューズユニットでは、可溶体部の溶断時による影響を抑制することができる。
【００１２】
このヒューズユニットでは、ケース本体のカバーのコ字状の開口側に放出孔が設けられているので、可溶体部による溶融に破片が出たとしても、この破片が放出孔から外部に飛散することを抑制する形状とすることができる。
【００１４】
このヒューズユニットでは、放出孔がカバーをケース本体に組付けた状態でケース本体とカバーとの間に形成される空間部としての隙間に連通していので、カバーをケース本体に組み付けた状態では放出孔を外部から直視し難い構造とすることができ、ヒューズユニットの外観を良好にすることができる。
【発明の効果】
【００１５】
本発明によれば、可溶体部の溶断時による影響を抑制することができるヒューズユニットを提供することができるという効果を奏する。
【図面の簡単な説明】
【００１６】
【図１】本発明の実施の形態に係るヒューズユニットの分解斜視図である。
【図２】本発明の実施の形態に係るヒューズユニットの斜視図である。
【図３】図２の要部拡大図である。
【図４】本発明の実施の形態に係るヒューズユニットの上面図である。
【図５】図４の要部拡大図である。
【図６】（ａ）は図４のＡ−Ａ断面図である。（ｂ）は図６（ａ）の要部拡大図である。
【発明を実施するための形態】
【００１７】
図１〜図６を用いて本発明の実施の形態に係るヒューズユニットについて説明する。
【００１８】
本実施の形態に係るヒューズユニット１は、過電流により回路を遮断する可溶体部３が設けられたヒューズエレメント５と、このヒューズエレメント５を収容するケース本体７と、このケース本体７の可溶体部３が配置された部分に組み付けられ可溶体部３の周囲を覆うカバー９とを備えている。
【００１９】
そして、ケース本体７には、ケース本体７とカバー９とで形成された空間部と外部とを連通し、可溶体部３が溶断する際に発生するガス圧を外部へ放出する放出孔１１が設けられている。
【００２０】
また、カバー９はコ字状に形成され、このコ字状の連結側にはケース本体７に係止される係止部１３が設けられ、コ字状の開口側にはケース本体７の放出孔１１が位置している。
【００２１】
さらに、図５に示すように、ケース本体７に設けられた放出孔１１は、カバー９をケース本体７に組付けた状態でケース本体とカバー９との間に形成される空間部としての隙間に連通している。
【００２２】
図１に示すように、ヒューズエレメント５は、導電性の板材からなり、過電流によって溶断して回路を遮断する複数の可溶体部３と、凹状及び孔状に形成された複数の接続部１５とを備えている。複数の可溶体部３は、ヒューズエレメント５を流れる電流が過電流となったときに溶断して回路を遮断する。なお、可溶体部３が回路を遮断する溶断位置１７は、反対側の導体よりも僅かに細く形成された導体部分となっている。このヒューズエレメント５は、複数の接続部１５で、図２などに示すケース本体７の収容状態においてケース本体７の外部に突出する接続部としてのボルト１９に電気的に接続されてケース本体７の内部に固定される。
【００２３】
図１〜図６に示すように、ケース本体７は、絶縁性の樹脂材料からなり、内部にヒューズエレメント５を収容する。また、ケース本体７は、例えば、車両に搭載されたバッテリなどに配置され、ヒューズエレメント５を固定するボルト１９が外部に露出されて接続部となっている。このケース本体７のヒューズエレメント５の可溶体部３が配置された部分は、外部に露出されており、この部分にはカバー９が組み付けられる。
【００２４】
カバー９は、絶縁性の樹脂材料からなり、コ字状に形成されている。また、カバー９のコ字状の連結側には、ケース本体７の被係止部２１に係止される係止部１３が設けられている。このカバー９は、ヒューズエレメント５の可溶体部３がケース本体７から外部に露出した部分に組み付けられ、可溶体部３の周囲を覆う。このカバー９は、可溶体部３によって溶断された溶断位置１７の破片がケース本体７とカバー９とで形成された空間部から外部に飛散することを防止する。このようなカバー９が組み付けられるケース本体７のカバー９のコ字状の開口側端部の角部分側には、複数の放出孔１１が設けられている。
【００２５】
複数の放出孔１１は、１つのカバー９に対してカバー９のコ字状の開口側端部の４つの角部分に溝状に設けられている。なお、ここでは、放出孔１１の長さｌは2.0mmに設定され、深さｄは1.5mmに設定されており、ケース本体７を成形する際の型抜きによって形成されるが、長さｌや深さｄ、もしくは成形方法などは適宜選択すればよい。また、放出孔１１の位置は、可溶体部３によって溶断される溶断位置１７との長さＬが10mmに設定されているが、溶断位置１７から離間して溶融した破片が放出孔１１に到達し難い位置であれば、長さＬや設ける箇所はどのような部分であってもよい。この放出孔１１の開口側は、カバー９をケース本体７に組付けた状態でカバー９との間に隙間が形成されるように設定されている。このため、カバー９をケース本体７に組み付けた状態で放出孔１１は、ケース本体７とカバー９とで形成された空間部と外部とを連通させる。
【００２６】
このような複数の放出孔１１は、可溶体部３が溶断する際に発生するガス圧を外部へ放出する。詳細には、可溶体部３は、ヒューズエレメント５を流れる過電流によって溶断位置１７を溶断する。このとき、ケース本体７とカバー９とで形成された空間部内では、ガス圧が発生する。この空間部内に発生したガス圧は、ケース本体７に形成された複数の放出孔１１から外部に放出される。この放出により、カバー９が内圧の上昇によって変形することがなく、カバーの破損や脱落などが防止される。なお、複数の放出孔１１は、ケース本体７とカバー９とで形成された空間部内に侵入、もしくは結露などで空間部内に溜まった水滴を外部に放出することもできる。
【００２７】
このようなヒューズユニット１では、ケース本体７に、ケース本体７とカバー９とで形成された空間部と外部とを連通し、可溶体部３が溶断する際に発生するガス圧を外部へ放出する放出孔１１が設けられているので、可溶体部３の溶断時のガス圧を外部に逃がしてカバー９の変形を防止でき、カバー９の破損や脱落を防止することができる。加えて、カバー９の変形を防止することができるので、溶融した破片の飛散をカバー９によって確実に受けることができる。
【００２８】
従って、このようなヒューズユニット１では、可溶体部３の溶断時による影響を抑制することができる。
【００２９】
また、ケース本体７のカバー９のコ字状の開口側に放出孔１１が設けられているので、可溶体部３による溶融時に溶断位置１７で破片が出たとしても、この破片が放出孔１１に到達し難く、放出孔１１から外部に破片が飛散することを抑制することができる。
【００３０】
さらに、放出孔１１は、カバー９をケース本体７に組付けた状態でケース本体７とカバー９との間に形成される空間部としての隙間に連通しているので、カバー９をケース本体７に組み付けた状態では放出孔１１を外部から直視し難い構造とすることができ、ヒューズユニット１の外観を良好にすることができる。
【００３１】
なお、本発明の実施の形態に係るヒューズユニットでは、放出孔がケース本体に設けられているが、カバーに設ける、もしくはケース本体とカバーとの両方に設けてもよい。この場合には、ヒューズユニットの外観を良好にするために、カバー側の放出孔はカバーの内面に外部と連通する溝状に設けることが好ましい。
【符号の説明】
【００３２】
１…ヒューズユニット
３…可溶体部
５…ヒューズエレメント
７…ケース本体
９…カバー
１１…放出孔
１３…係止部
【図１】
0005711991.tif 000002
【図２】
0005711991.tif 000003
【図３】
0005711991.tif 000004
【図４】
0005711991.tif 000005
【図５】
0005711991.tif 000006
【図６】
0005711991.tif 000007